(57)【要約】【課題】１或いは複数台の機器が接続されていない場合に装置本体が損傷することを防止することが出来る信号供給装置を提供する。【解決手段】本発明に係る信号供給装置は、１或いは複数本のケーブルを接続するための１或いは複数のコネクタ５、１或いは複数のコネクタ５に信号を供給するメインマイクロコンピュータ３、該コンピュータ３から１或いは複数のコネクタ５に対する信号の供給をオン／オフするリレー１６、及び該リレー１６のオン／オフを制御する待機時用マイクロコンピュータ２を具えている。該コンピュータ２は、１或いは複数のコネクタ５に１或いは複数台の機器が接続されているか否かを判断し、接続されている場合にリレー１６をオンに設定する一方、接続されていない場合にはリレー１６をオフに設定する。【選択図】      図１
2004342255.tif 000002
【特許請求の範囲】
【請求項１】
１或いは複数本のケーブルにより１或いは複数台の機器を接続して、これらの１或いは複数台の機器に信号を供給することが可能な信号供給装置において、１或いは複数本のケーブルを接続するための１或いは複数のコネクタと、１或いは複数のコネクタに信号を供給する信号供給手段とを具え、該信号供給手段は、１或いは複数のコネクタに１或いは複数台の機器が接続されているか否かを判断し、接続されている場合に限って１或いは複数のコネクタに信号を供給することを特徴とする信号供給装置。
【請求項２】
各コネクタは、信号供給手段から得られる信号をケーブルに出力する接続有無検出用出力端子と、該端子から出力されてケーブルに接続されている機器から戻ってくる信号が入力される接続有無検出用入力端子とを具え、信号供給手段は、接続有無検出用入力端子に対する信号入力の有無に基づいて前記判断を行なう請求項１に記載の信号供給装置。
【請求項３】
前記信号供給手段は、１或いは複数のコネクタに１或いは複数台の機器が接続されていない場合にその旨を報知する報知手段を具えている請求項１又は請求項２に記載の信号供給装置。
【請求項４】
装置本体に電源を投入する際に操作すべき電源ボタンを具えており、前記信号供給手段は、
電力の供給を受けて、接続されている１或いは複数台の機器の動作を制御するための動作制御信号を１或いは複数のコネクタに供給する動作を実行するメイン制御手段と、
メイン制御手段に電力を供給するメイン電力供給手段と、
メイン電力供給手段からメイン制御手段に対する電力の供給をオン／オフするオン／オフ手段と、
電源ボタンが押下されたときに前記判断動作を実行し、接続されている場合に前記オン／オフ手段をオンに設定する一方、接続されていない場合には前記オン／オフ手段をオフに設定するサブ制御手段と、
サブ制御手段を常に動作状態に維持するサブ電力供給手段
とを具えている請求項１乃至請求項３の何れかに記載の信号供給装置。
【請求項５】
前記サブ制御手段は、前記オン／オフ手段がオンに設定されている状態で前記判断動作を繰り返し、１或いは複数台の機器が接続されていないと判断した時点でオン／オフ手段をオフに設定する請求項４に記載の信号供給装置。
【請求項６】
前記メイン電力供給手段は、接続されている１或いは複数台の機器の電源をオンに設定するための電源制御信号、或いはこれら１或いは複数台の機器を動作状態に設定するための電力信号を１或いは複数のコネクタに供給し、前記オン／オフ手段は、メイン電力供給手段から１或いは複数のコネクタに対する電源制御信号或いは電力信号の供給をオン／オフする請求項４又は請求項５に記載の信号供給装置。
【請求項７】
信号供給装置と１或いは複数台の機器とを１或いは複数本のケーブルにより互いに接続して、信号供給装置から１或いは複数台の機器に信号を供給することが可能な信号供給システムにおいて、信号供給装置は、１或いは複数本のケーブルを接続するための１或いは複数のコネクタと、１或いは複数のコネクタに信号を供給する信号供給手段とを具え、該信号供給手段は、１或いは複数のコネクタに１或いは複数台の機器が接続されているか否かを判断し、接続されている場合に限って１或いは複数のコネクタに信号を供給することを特徴とする信号供給システム。
【請求項８】
信号供給装置の各コネクタは、信号供給手段から得られる信号をケーブルに出力する接続有無検出用出力端子と、該端子から出力されてケーブルに接続されている機器から戻ってくる信号が入力される接続有無検出用入力端子とを具え、各機器は、信号供給装置の接続有無検出用出力端子から出力された信号が入力される接続有無検出用入力端子と、該端子に入力された信号をケーブルに出力する接続有無検出用出力端子とを具えており、信号供給装置の信号供給手段は、接続有無検出用入力端子に対する信号入力の有無に基づいて前記判断を行なう請求項７に記載の信号供給システム。
【発明の詳細な説明】
【０００１】
【発明の属する技術分野】
本発明は、１或いは複数本のケーブルにより１或いは複数台の機器を接続して、これらの１或いは複数台の機器に信号を供給することが可能な信号供給装置及びシステムに関するものである。
【０００２】
【従来の技術】
従来、ＤＶＤプレーヤやＭＤプレーヤ等のＡＶ再生装置にアンプ装置やスピーカ装置等をケーブルにより接続して構成されるＡＶ再生システムが知られている（例えば、特許文献１参照）。
ＡＶ再生装置にアンプ装置を接続して構成されるＡＶ再生システムとしては、ＡＶ再生装置によってアンプ装置の電源のオン／オフ及びアンプ装置の動作が制御されるシステムが知られており、この種のＡＶ再生システムにおいては、ＡＶ再生装置の電源ボタンを押下すると、装置本体の電源がオンに設定されると共に、ＡＶ再生装置からアンプ装置の電源をオンに設定するための電源制御信号がケーブルを経てアンプ装置に供給され、アンプ装置の電源がオンに設定される。又、ＡＶ再生装置からアンプ装置の動作を制御するための動作制御信号がケーブルを経てアンプ装置に供給され、アンプ装置によって該動作制御信号に応じた動作が実行される。
【０００３】
【特許文献１】
特開２００３−６１１８６号公報
【０００４】
【発明が解決しようとする課題】
しかしながら、上記従来のＡＶ再生システムにおいては、ＡＶ再生装置に接続されたケーブルの先端にアンプ装置が接続されていない場合であっても、ＡＶ再生装置からケーブルに電源制御信号及び動作制御信号が供給されるため、ケーブルの先端が金属に接触した場合に動作制御信号及び電源制御信号の信号ラインが短絡してＡＶ再生装置が損傷する虞がある問題があった。
本発明の目的は、１或いは複数台の機器が接続されていない場合に装置本体が損傷することを防止することが出来る信号供給装置及びシステムを提供することである。
【０００５】
【課題を解決する為の手段】
本発明に係る信号供給装置は、１或いは複数本のケーブルにより１或いは複数台の機器を接続して、これらの１或いは複数台の機器に信号を供給することが可能である。そして、該信号供給装置は、１或いは複数本のケーブルを接続するための１或いは複数のコネクタと、１或いは複数のコネクタに信号を供給する信号供給手段とを具えており、該信号供給手段は、１或いは複数のコネクタに１或いは複数台の機器が接続されているか否かを判断し、接続されている場合に限って１或いは複数のコネクタに信号を供給する。
【０００６】
上記本発明に係る信号供給装置においては、１或いは複数のコネクタに１或いは複数台の機器が接続されている場合に限って、音響信号、映像信号、前記１或いは複数台の機器の電源をオンに設定するための電源制御信号、これらの機器を動作状態に設定するための電力信号、これらの機器の動作を制御するための動作制御信号等の信号が１或いは複数のコネクタに供給され、１或いは複数台の機器が接続されていない場合には１或いは複数のコネクタに信号は供給されない。従って、かかる場合にコネクタやケーブルの先端が金属に接触したとしても、従来のＡＶ再生システムの様に信号ラインが短絡するという事態が発生することはなく、装置本体が損傷することを防止することが出来る。
【０００７】
具体的には、各コネクタは、信号供給手段から得られる信号をケーブルに出力する接続有無検出用出力端子と、該端子から出力されてケーブルに接続されている機器から戻ってくる信号が入力される接続有無検出用入力端子とを具え、信号供給手段は、接続有無検出用入力端子に対する信号入力の有無に基づいて前記判断を行なう。
【０００８】
信号供給装置に接続される各機器は、信号供給装置の接続有無検出用出力端子から出力された信号が入力される接続有無検出用入力端子と、該端子に入力された信号をケーブルに出力する接続有無検出用出力端子とを具えている。
上記具体的構成においては、信号供給装置の信号供給手段から得られる信号がコネクタの接続有無検出用出力端子からケーブルに出力される。コネクタにケーブルを介して機器が接続されている場合には、該信号はケーブルを経て機器の接続有無検出用入力端子に入力され、機器の接続有無検出用出力端子からケーブルに出力されて信号供給装置の接続有無検出用入力端子に戻ってくる。これに対し、機器が接続されていない場合には、信号供給装置の接続有無検出用出力端子或いはケーブルの先端が開放されているため、信号供給装置の接続有無検出用出力端子から出力された信号は接続有無検出用入力端子に戻ってこない。そこで、信号供給手段は、接続有無検出用入力端子に対する信号入力の有無に基づいて、１或いは複数のコネクタに１或いは複数台の機器が接続されているか否かを判断する。
【０００９】
又、具体的には、前記信号供給手段は、１或いは複数のコネクタに１或いは複数台の機器が接続されていない場合にその旨を報知する報知手段を具えている。
【００１０】
上記具体的構成においては、１或いは複数のコネクタに１或いは複数台の機器が接続されていない場合に、発光ダイオード（ＬＥＤ）を点灯する方法やブザーを鳴動させる方法等の報知方法によって、その旨がユーザに報知される。
【００１１】
又、具体的には、装置本体に電源を投入する際に操作すべき電源ボタンを具えており、前記信号供給手段は、
電力の供給を受けて、接続されている１或いは複数台の機器の動作を制御するための動作制御信号を１或いは複数のコネクタに供給する動作を実行するメイン制御手段と、
メイン制御手段に電力を供給するメイン電力供給手段と、
メイン電力供給手段からメイン制御手段に対する電力の供給をオン／オフするオン／オフ手段と、
電源ボタンが押下されたときに前記判断動作を実行し、接続されている場合に前記オン／オフ手段をオンに設定する一方、接続されていない場合には前記オン／オフ手段をオフに設定するサブ制御手段と、
サブ制御手段を常に動作状態に維持するサブ電力供給手段
とを具えている。
【００１２】
上記具体的構成においては、サブ電力供給手段によってサブ制御手段が常に動作状態に維持されており、電源ボタンに対して操作が行なわれたとき、これがサブ制御手段により検知されて、１或いは複数のコネクタに１或いは複数台の機器が接続されているか否かが判断される。そして、１或いは複数台の機器が接続されていると判断された場合に、オン／オフ手段がオンに設定されて、メイン電力供給手段からメイン制御手段に対する電力の供給が開始される。メイン制御手段は、該電力の供給を受けて、１或いは複数台の機器の動作を制御するための動作制御信号を１或いは複数のコネクタに供給する動作を開始する。
これに対し、１或いは複数のコネクタに１或いは複数台の機器が接続されていないと判断された場合には、オン／オフ手段がオフに維持されて、メイン電力供給手段からメイン制御手段に対する電力の供給は開始されず、メイン制御手段は、１或いは複数のコネクタに動作制御信号を供給する動作を開始しない。
【００１３】
更に具体的には、前記サブ制御手段は、前記オン／オフ手段がオンに設定されている状態で前記判断動作を繰り返し、１或いは複数台の機器が接続されていないと判断した時点でオン／オフ手段をオフに設定する。
【００１４】
上記具体的構成においては、オン／オフ手段がオンに設定されてメイン制御手段に電力が供給されている状態で、１或いは複数のコネクタと１或いは複数台の機器との接続が切り離されたか否かが監視される。そして、１或いは複数のコネクタと１或いは複数台の機器との接続が切り離されたとき、その時点でオン／オフ手段がオフに設定されて、メイン電力供給手段からメイン制御手段に対する電力の供給が停止し、メイン制御手段は、１或いは複数のコネクタに動作制御信号を供給する動作を停止する。
【００１５】
更に又、具体的には、前記メイン電力供給手段は、接続されている１或いは複数台の機器の電源をオンに設定するための電源制御信号、或いはこれら１或いは複数台の機器を動作状態に設定するための電力信号を１或いは複数のコネクタに供給し、前記オン／オフ手段は、メイン電力供給手段から１或いは複数のコネクタに対する電源制御信号或いは電力信号の供給をオン／オフする。
【００１６】
上記具体的構成においては、電源ボタンに対して操作が行なわれたとき、１或いは複数のコネクタに１或いは複数台の機器が接続されている場合に、これらのコネクタに電源制御信号或いは電力信号が供給され、電源制御信号或いは電力信号は、１或いは複数本のケーブルを経て１或いは複数台の機器に供給される。この結果、１或いは複数台の機器の電源がオンに設定される。
これに対し、１或いは複数のコネクタに１或いは複数台の機器が接続されていない場合には、これらのコネクタに電源制御信号及び電力信号は供給されず、１或いは複数台の機器の電源はオフに維持される。
【００１７】
【発明の効果】
本発明に係る信号供給装置及びシステムによれば、１或いは複数台の機器が接続されていない場合に装置本体が損傷することを防止することが出来る。
【００１８】
【発明の実施の形態】
以下、本発明を、ＤＶＤプレーヤ及びアンプ装置を具えた図１に示すＡＶ再生システムに実施した形態につき、図面に沿って具体的に説明する。
本発明に係るＡＶ再生システムにおいては、ＤＶＤプレーヤ（１）及びアンプ装置（７）は夫々、ケーブルのコネクタ（５）（９）を具えており、これらのコネクタ（５）（９）をケーブル（６）により互いに接続することによって、ＤＶＤプレーヤ（１）とアンプ装置（７）とが互いに接続されている。アンプ装置（７）の出力端には、スピーカ（図示省略）が接続されており、ＤＶＤプレーヤ（１）から出力される音響信号が増幅されて、スピーカから音響として出力される。
ＤＶＤプレーヤ（１）は、プレーヤ本体及びアンプ装置（７）の動作を制御するメインマイクロコンピュータ（３）と、プレーヤ本体及びアンプ装置（７）の電源のオン／オフを制御する待機時用マイクロコンピュータ（２）とを具えている。
電源プラグ（１０）がＡＣ電源に差し込まれた状態では、電源プラグ（１０）から一対の電源端子（１１）（１１）に電源電圧が供給され、該電源電圧は一対の第１電力供給路（１２）（１２）を経て待機時用電源回路（２０）に供給される。待機時用電源回路（２０）では、供給された電源電圧が５Ｖの電圧まで降圧され、これによって得られる電力信号は第２電力供給路（１３）を経て待機時用マイクロコンピュータ（２）に供給される。これによって、待機時用マイクロコンピュータ（２）は、常に動作状態に維持される。
【００１９】
待機時用マイクロコンピュータ（２）には、スイッチ（４０）が接続されており、該スイッチ（４０）は、プレーヤ本体に配備された電源ボタン（４）が押下されるとオンとなる。
又、待機時用マイクロコンピュータ（２）には、プレーヤ本体に配備されたＬＥＤ（２７）が接続されており、待機時用マイクロコンピュータ（２）によってＬＥＤ（２７）の点灯が制御されている。
【００２０】
前記一対の第１電力供給路（１２）（１２）から夫々、一対の第３電力供給路（１４）（１４）が分岐して伸びており、これらの電力供給路（１４）（１４）の先端はメイン電源回路（３０）に接続されている。一方の第３電力供給路（１４）には、電源リレー（１６）のスイッチＳＷが介在している。
又、前記第２電力供給路（１３）から１本の第１電源制御用線路（１５）が分岐して伸びており、その先端は接地されている。該線路（１５）には、前記電源リレー（１６）のコイルＬと１つのトランジスタＴＲ１が介在しており、トランジスタＴＲ１のコレクタとエミッタが該線路（１５）に接続されている。
又、前記待機時用マイクロコンピュータ（２）から１本の第２電源制御用線路（１７）が伸びており、その先端は、前記トランジスタＴＲ１のベースに接続されている。該線路（１７）には、抵抗Ｒ１が介在している。
【００２１】
待機時用マイクロコンピュータ（２）からトランジスタＴＲ１のベースにハイ信号が供給されると、トランジスタＴＲ１はオンとなり、電源リレー（１６）のコイルＬに電流が流れてスイッチＳＷがオンとなる。スイッチＳＷがオンになると、前記一対の電源端子（１１）（１１）から得られる電源電圧がメイン電源回路（３０）に供給されて５Ｖの電圧まで降圧され、これによって得られる電力信号が第４電力供給路（１８）を経てメインマイクロコンピュータ（３）に供給される。これによって、メインマイクロコンピュータ（３）が動作状態となる。
これに対し、待機時用マイクロコンピュータ（２）からトランジスタＴＲ１のベースにロー信号が供給されると、トランジスタＴＲ１はオフとなって、電源リレー（１６）のコイルＬに電流が流れなくなり、スイッチＳＷはオフとなる。スイッチＳＷがオフになると、前記一対の電源端子（１１）（１１）からメイン電源回路（３０）に対する電源電圧の供給が停止されて、メイン電源回路（３０）からメインマイクロコンピュータ（３）に対する電力信号の供給が停止される。これによって、メインマイクロコンピュータ（３）が動作を停止する。
【００２２】
コネクタ（５）は、電源制御用端子（５０）と動作制御用端子（５１）とを具えている。電源制御用端子（５０）は、１本の第３電源制御用線路（２１）によって前記メイン電源回路（３０）と接続されており、該端子（５０）には、メイン電源回路（３０）からアンプ装置（７）の電源をオンに設定するための１２Ｖの電源制御信号が供給される。一方、動作制御用端子（５１）は、１本の動作制御用線路（１９）によって前記メインマイクロコンピュータ（３）と接続されており、該端子（５１）には、メインマイクロコンピュータ（３）からアンプ装置（７）の動作を制御するための動作制御信号が供給される。
【００２３】
上記ＤＶＤプレーヤ（１）は、コネクタ（５）にアンプ装置（７）が接続されているか否かを検出することが可能であって、コネクタ（５）は、接続有無検出用出力端子（５２ａ）及び接続有無検出用入力端子（５２ｂ）を具えている。
待機時用電源回路（２０）から伸びる前記第２電力供給路（１３）から１本の第１接続有無検出用線路（２２）が伸びており、その先端は接地されている。該線路（２２）には、１つの抵抗Ｒ２と１つのトランジスタＴＲ２が介在しており、トランジスタＴＲ２のコレクタとエミッタが該線路（２２）に接続されている。抵抗Ｒ２のトランジスタＴＲ２側の端部から１本の第２接続有無検出用線路（２５）が伸びており、その先端は待機時用マイクロコンピュータ（２）に接続されている。又、抵抗Ｒ２の他方の端部から１本の第３接続有無検出用線路（２３）が伸びており、その先端は、コネクタ（５）の前記接続有無検出用出力端子（５２ａ）に接続されている。該接続有無検出用線路（２３）には、１つの抵抗Ｒ３が介在している。又、トランジスタＴＲ２のベースとコネクタ（５）の前記接続有無検出用入力端子（５２ｂ）とが１本の第４接続有無検出用線路（２４）によって互いに接続されており、該線路（２４）には１つの抵抗Ｒ４が介在している。又、第４接続有無検出用線路（２４）から１本の線路（２６）が分岐して伸びており、その先端は接地されている。該線路（２６）には１つの抵抗Ｒ５が介在している。
【００２４】
一方、アンプ装置（７）は、一対の電源端子（７１）（７１）と、図示省略する増幅回路に電力を供給する電源回路（８）とを具えており、一対の電源端子（７１）（７１）と電源回路（８）とは一対の電力供給路（７２）（７２）によって互いに接続されている。一方の電力供給路（７２）には、電源リレー（７３）のスイッチＳＷが介在している。
コネクタ（９）は、電源制御用端子（９０）を具えている。電源制御用端子（９０）から１本の電源制御用線路（７４）が伸びており、その先端は接地されている。該線路（７４）には、前記電源リレー（７３）のコイルＬが介在している。
ＤＶＤプレーヤ（１）のコネクタ（５）とアンプ装置（７）のコネクタ（９）とがケーブル（６）によって互いに接続されると、ＤＶＤプレーヤ（１）の電源制御用端子（５０）とアンプ装置（７）の電源制御用端子（９０）とがケーブル（６）によって互いに接続されることとなり、この状態でＤＶＤプレーヤ（１）のメイン電源回路（３０）から電源制御用端子（５０）に電源制御信号が供給されると、該信号はケーブル（６）及びアンプ装置（７）の電源制御用端子（９０）を経て電源リレー（７３）のコイルＬに供給され、スイッチＳＷはオンとなる。電源プラグ（７０）がＡＣ電源に差し込まれた状態では、電源プラグ（７０）から一対の電源端子（７１）（７１）に電源電圧が供給され、該電源電圧は一対の電力供給路（７２）（７２）を経て電源回路（８）に供給される。電源回路（８）では、供給された電源電圧が所定の大きさの電圧まで降圧され、これによって得られる電力信号が増幅回路に供給される。これによって、増幅回路が動作状態となる。
【００２５】
又、コネクタ（９）は動作制御用端子（９１）を具えており、該端子（９１）は、増幅回路に接続されている。
ＤＶＤプレーヤ（１）のコネクタ（５）とアンプ装置（７）のコネクタ（９）とがケーブル（６）によって互いに接続されると、ＤＶＤプレーヤ（１）の動作制御用端子（５１）とアンプ装置（７）の動作制御用端子（９１）とがケーブル（６）によって互いに接続されることとなり、この状態でＤＶＤプレーヤ（１）のメインマイクロコンピュータ（３）から動作制御用端子（５１）に動作制御信号が供給されると、該信号はケーブル（６）及びアンプ装置（７）の動作制御用端子（９１）を経て増幅回路に供給される。これによって、増幅回路が該動作制御信号に応じた動作を実行する。
【００２６】
更に、アンプ装置（７）のコネクタ（９）は、接続有無検出用入力端子（９２ａ）及び接続有無検出用出力端子（９２ｂ）を具えており、これらの端子（９２ａ）（９２ｂ）は１本の接続有無検出用線路（７５）によって互いに接続されている。
ＤＶＤプレーヤ（１）のコネクタ（５）とアンプ装置（７）のコネクタ（９）とがケーブル（６）によって互いに接続されると、ＤＶＤプレーヤ（１）の接続有無検出用出力端子（５２ａ）及び接続有無検出用入力端子（５２ｂ）とアンプ装置（７）の接続有無検出用入力端子（９２ａ）及び接続有無検出用出力端子（９２ｂ）とが夫々、ケーブル（６）によって互いに接続されることとなる。この状態では、ＤＶＤプレーヤ（１）の第３接続有無検出用線路（２３）、接続有無検出用出力端子（５２ａ）、ケーブル（６）、アンプ装置（７）の接続有無検出用入力端子（９２ａ）、接続有無検出用線路（７５）、接続有無検出用出力端子（９２ｂ）、ケーブル（６）、ＤＶＤプレーヤ（１）の接続有無検出用入力端子（５２ｂ）、第４接続有無検出用線路（２４）及びトランジスタＴＲ２のベースに電流が流れて、トランジスタＴＲ２はオンとなっており、０Ｖの接続有無検出信号が待機時用マイクロコンピュータ（２）に供給される。
これに対し、ＤＶＤプレーヤ（１）のコネクタ（５）にケーブル（６）が接続されていない場合、或いはＤＶＤプレーヤ（１）のコネクタ（５）に接続されたケーブル（６）の先端にアンプ装置（７）が接続されていない場合には、ＤＶＤプレーヤ（１）の接続有無検出用出力端子（５２ａ）及び接続有無検出用入力端子（５２ｂ）或いはケーブル（６）の先端が開放状態となっており、トランジスタＴＲ２のベースに電流は流れない。従って、トランジスタＴＲ２はオフとなっており、５Ｖの接続有無検出信号が待機時用マイクロコンピュータ（２）に供給される。
待機時用マイクロコンピュータ（２）は、接続有無検出信号が０Ｖの信号及び５Ｖの信号の何れの信号であるかの判別結果に基づいて、コネクタ（５）にアンプ装置（７）が接続されているか否かを判断する。
【００２７】
図２は、ＤＶＤプレーヤ（１）の待機時用マイクロコンピュータ（２）によって実行される電源オン／オフ制御手続きを表わしており、電源プラグ（１０）がＡＣ電源に差し込まれると、先ずステップＳ１にて、トランジスタＴＲ１に対するロー信号の供給を開始する。これによって、電源リレー（１６）のスイッチＳＷはオフとなる。
次にステップＳ２では、プレーヤ本体の電源ボタン（４）が押下されたか否かを判断し、ノーと判断された場合はステップＳ２にて同じ判断を繰り返す一方、イエスと判断された場合にはステップＳ３に移行して、コネクタ（５）にアンプ装置（７）が接続されているか否かを判断する。ここで、接続有無検出信号が５Ｖの信号である場合にはノーと判断されてステップＳ４に移行し、ＬＥＤ（２７）を点灯してアンプ装置（７）が接続されていない旨を報知した後、ステップＳ２に戻る。
【００２８】
これに対し、接続有無検出信号が０Ｖの信号である場合には、ステップＳ３にてイエスと判断されてステップＳ５に移行し、トランジスタＴＲ１に供給する信号をロー信号からハイ信号に変更する。これによって、電源リレー（１６）のスイッチＳＷがオンとなってメイン電源回路（３０）に電源電圧が供給され、該電源回路（３０）からメインマイクロコンピュータ（３）に電力信号が供給されて、メインマイクロコンピュータ（３）が動作状態となる。又、メイン電源回路（３０）からコネクタ（５）の電源制御用端子（５０）に電源制御信号が供給されて、アンプ装置（７）が動作状態となる。
【００２９】
続いてステップＳ６では、コネクタ（５）にアンプ装置（７）が接続されているか否かを判断し、イエスと判断された場合にはステップＳ６にて同じ判断を繰り返す。
その後、ＤＶＤプレーヤ（１）のコネクタ（５）からケーブル（６）が取り外された場合、或いはアンプ装置（７）のコネクタ（９）からケーブル（６）が取り外された場合には、その時点でステップＳ６にてノーと判断されてステップＳ７に移行し、トランジスタＴＲ１に供給する信号をハイ信号からロー信号に変更する。これによって、電源リレー（１６）のスイッチＳＷがオフとなってメイン電源回路（３０）に対する電源電圧の供給が停止され、メイン電源回路（３０）からメインマイクロコンピュータ（３）に対する電力信号の供給が停止されて、メインマイクロコンピュータ（３）は動作停止状態となる。続いてステップＳ８では、ＬＥＤ（２７）を点灯してアンプ装置（７）が接続されていない旨を報知した後、ステップＳ２に戻る。
【００３０】
上記手続きによれば、ＤＶＤプレーヤ（１）の電源ボタン（４）が押下されたとき、コネクタ（５）にアンプ装置（７）が接続されている場合には、電源リレー（１６）のスイッチＳＷがオンとなり、メインマイクロコンピュータ（３）に対する電力信号の供給が開始されてメインマイクロコンピュータ（３）が動作状態になると共に、アンプ装置（７）に電源制御信号が供給されてアンプ装置（７）が動作状態となる。その後、ＤＶＤプレーヤ（１）のコネクタ（５）からケーブル（６）が取り外されると、或いはアンプ装置（７）のコネクタ（９）からケーブル（６）が取り外されると、その時点で電源リレー（１６）のスイッチＳＷがオフとなり、メインマイクロコンピュータ（３）に対する電力信号の供給が停止されてメインマイクロコンピュータ（３）が動作停止状態となる。
これに対し、ＤＶＤプレーヤ（１）の電源ボタン（４）が押下されたとき、コネクタ（５）にアンプ装置（７）が接続されていない場合には、電源リレー（１６）のスイッチＳＷがオフに維持される。従って、メインマイクロコンピュータ（３）に対する電力信号の供給が開始されず、メインマイクロコンピュータ（３）が動作停止状態に維持される。又、アンプ装置（７）に電源制御信号が供給されず、アンプ装置（７）が動作停止状態に維持される。
【００３１】
本発明に係るＡＶ再生システムにおいては、ＤＶＤプレーヤ（１）のコネクタ（５）にアンプ装置（７）が接続されていない場合には、電源リレー（１６）のスイッチＳＷがオフに設定されるので、メイン電源回路（３０）からコネクタ（５）に対し電源制御信号が供給されることはない。又、メイン電源回路（３０）からメインマイクロコンピュータ（３）に電力信号が供給されず、メインマイクロコンピュータ（３）は動作停止状態に設定されるので、メインマイクロコンピュータ（３）からコネクタ（５）に対し動作制御信号が供給されることもない。従って、かかる場合にコネクタ（５）やケーブル（６）の先端が金属と接触したとしても、従来のＡＶ再生システムの様に電源制御信号や動作制御信号の信号ラインが短絡するという事態が発生することはなく、ＤＶＤプレーヤ（１）が損傷することを防止することが出来る。
【００３２】
尚、本発明の各部構成は上記実施の形態に限らず、特許請求の範囲に記載の技術的範囲内で種々の変形が可能である。
例えば、本発明をＤＶＤプレーヤ（１）とアンプ装置（７）とを具えたＡＶ再生システムに採用しているが、これに限らず、その他の種々の信号供給システムに採用することが可能である。
又、アンプ装置（７）に電源回路（８）を設けているが、該電源回路（８）を省略して、ＤＶＤプレーヤ（１）のメイン電源回路（３０）からアンプ装置（７）の増幅回路に電力を供給する構成を採用することも可能である。
更に、ＤＶＤプレーヤ（１）のコネクタ（５）にアンプ装置（７）が接続されていない場合にはＬＥＤ（２７）を点灯する構成を採用しているが、その旨をディスプレイに表示する構成やブザーを鳴動させる構成を採用することも可能である。
【図面の簡単な説明】
【図１】本発明を実施したＡＶ再生システムの全体構成を表わすブロック図である。
【図２】上記ＡＶ再生システムを構成するＤＶＤプレーヤの待機時用マイクロコンピュータによって実行される電源オン／オフ手続きを表わすフローチャートである。
【符号の説明】
（１）  ＤＶＤプレーヤ
（２）  待機時用マイクロコンピュータ
（２０）  待機時用電源回路
（３）  メインマイクロコンピュータ
（３０）  メイン電源回路
（４）  電源ボタン
（５）  コネクタ
（６）  ケーブル
（７）  アンプ装置
（８）  電源回路
（９）  コネクタ
【図１】
2004342255.tif 000003
【図２】
2004342255.tif 000004